(57)【特許請求の範囲】
【請求項１】
曲線または直線上に並ぶ複数のシャワー水噴射孔を有し、これらのシャワー水噴射孔が、設定された基準軸に対して同じ交差角となるように形成されているとともに、各シャワー水噴射孔のシャワー水噴射方向には、シャワー水噴射孔から噴射されたシャワー水が入り込むシャワー水ガイド溝がそれぞれ形成されており、
これらのシャワー水ガイド溝のうち、少なくともいずれかのシャワー水ガイド溝が、シャワー水の噴射角度を他のシャワー水ガイド溝と異なる角度にガイドする溝形状に形成され、
シャワー水通水路となる溝状凹部を有し、シャワー水ガイド溝に連通するシャワー水噴射孔形成用溝が前記溝状凹部の側壁面に穿設されたシャワーヘッド本体と、
前記溝状凹部の開口部入り口に嵌まり込んで、溝状凹部の開口部を閉じるとともに、蓋側壁面がシャワー水噴射孔形成用溝の開口部を水密に塞ぐ蓋部材と
を備えることを特徴とするシャワーヘッド。
【発明の詳細な説明】
【技術分野】
【０００１】
本発明は、シャワーヘッドに関する。
【背景技術】
【０００２】
シャワーヘッドが環状をしたシャワー用の湯あるいは水が通水される２つの通水路を有し、このシャワーヘッドの第１の通水路に設けられた多数のシャワー水噴射孔から噴射された多数の噴射シャワー水が使用者の頭部外径より大きな径をした環状あるいは略環状をしたカーテン状シャワーを形成するとともに、第2の通水路に設けられた多数のシャワー水噴射孔から通水路の中心軸方向に向かってシャワー水を噴射させるようにしたシャワー装置が既に提案されている（たとえば、特許文献1参照）。
【０００３】
すなわち、このシャワー装置の場合、第１の通水路のシャワー水噴射孔から噴射された噴射シャワー水によって環状をしたカーテン状シャワーを水膜状に形成するようにしたので、カーテン状シャワーの内側がシャワー水の熱によって暖かい雰囲気に保たれ、冬場においてもシャワー水のみで十分に身体を温めることができるとともに、頭を濡らすことなく身体を洗うことができる。
また、第２の通水路に設けられた多数のシャワー水噴射孔から通水路の中心軸方向に向かってシャワー水を噴射させるようにしたので、第２の通水路にシャワー水を通水するようにすれば、従来のシャワー装置のように手でシャワーヘッドを持ったりすることなく、両手で頭や身体を洗うことができる。
【０００４】
しかしながら、上記のシャワー装置の場合、第２の通水路のシャワー水噴射孔から噴射される噴射シャワー水が放射状に拡がるようになっているため、使用者に直接当たるシャワー水は、分散されているため、洗髪等に使用するには効率が悪く、使用感に乏しい。
また、第１の通水路および第２の通水路を備えたシャワー装置本体部をスライドバー等に支持させて、シャワー装置本体部をスライドバーに沿って上下させて背の異なる使用者でも効率よく洗髪等を行えるようにすることもできるが、シャワー装置本体部はその直径が大きいため、シャワー装置本体部に手を掛けて上下させるためには、かなりの荷重に耐える支持構造としなければならず、コストがかかるという問題がある。
【０００５】
そこで、この問題を解決するために、本発明の発明者らは、環状あるいは略環状をしたシャワー用の湯あるいは水が通水される２つの通水路を有し、第１の通水路に設けられた多数のシャワー水噴射孔から噴射された多数の噴射シャワー水が使用者の頭部外径より大きな径をした環状あるいは略環状をしたカーテン状シャワーを形成するとともに、第2の通水路に設けられた多数のシャワー水噴射孔から通水路の中心軸方向に向かってシャワー水を噴射させるようにしたシャワーヘッドであって、第２の通水路に設けられた多数のシャワー水噴射孔からシャワー水を線状に噴射するとともに、これらの多数のシャワー水噴射孔のうち、一部の複数のシャワー水噴射孔は、噴射された噴射シャワー水が、第１仮想集合点で衝突して集合するように噴射角度で第２の通水路の壁面に穿設され、残部のシャワー水噴射孔は、残部のシャワー水孔の少なくとも一部の複数のシャワー水噴射孔が前記第１仮想集合点に対して高さ位置が異なる第２仮想集合点で衝突して集合するように噴射角度で第２の通水路の壁面に穿設されているシャワーヘッドを備えたシャワー装置を既に提案している（特願２００５−１４７８１２号）。
【０００６】
すなわち、上記シャワー装置によれば、第２の通水路から噴射された噴射シャワー水が少なくとも第１仮想集合点および第２仮想集合点の高さの異なる２箇所で集合し、太い流れになって落下する。したがって、シャワー装置本体部を上下させなくても、背丈の異なる使用者が快適に洗髪等を効率よく行えるようになる。
ところで、シャワー装置のシャワーヘッドは、通常樹脂成形品で形成されているが、上記のように、角度が異なるシャワー水噴射孔を備えたシャワーヘッドを１つの成形品で得ようとすると、噴射角度毎に異なる角度で離型する必要があり、成形金型構造が複雑になるという問題がある。
【０００７】
そこで、本発明の発明者らは、シャワーヘッドを、シャワー水通水路となる溝状凹部を有し、この溝状凹部の側壁面に角度の異なるシャワー水噴射孔形成用溝が穿設されたシャワーヘッド本体と、前記溝状凹部の開口部入り口に嵌まり込んで、溝状凹部の開口部を閉じるとともに、蓋側壁面がシャワー水噴射孔形成用溝の開口部を水密に塞ぐ蓋部材とからなる複数の部材で構成しようと考えた。
【０００８】
しかしながら、シャワーヘッドを上記のような構造とした場合、成形金型の構造は単純になるのであるが、角度の異なるシャワー水噴射孔形成用溝角度の溝部を形成する必要がある。よって、一つの円周又は直線上に配置された吐水部から数種類の角度に吐水する場合は、それぞれの部品の嵌合面（止水面）の形状が複雑になり、止水が難しく、組立性に問題がある。
【０００９】
【特許文献１】特許第３６１２５０９号公報
【発明の開示】
【発明が解決しようとする課題】
【００１０】
本発明は、上記事情に鑑みて、複数のシャワー水噴射孔を有し、シャワー水噴射孔から噴射されたシャワー水を基準軸に対して異なる噴射角度でシャワー水を噴射できるとともに、成形金型を簡素化でき、かつ、組立性も向上するシャワーヘッドを提供することを目的としている。
【課題を解決するための手段】
【００１１】
上記目的を達成するために、本発明の請求項１に記載のシャワーヘッド（以下、「請求項１のシャワーヘッド」と記す）は、曲線または直線上に並ぶ複数のシャワー水噴射孔を有し、これらのシャワー水噴射孔が、設定された基準軸に対して同じ交差角となるように形成されているとともに、各シャワー水噴射孔のシャワー水噴射方向には、シャワー水噴射孔から噴射されたシャワー水が入り込むシャワー水ガイド溝がそれぞれ形成されており、これらのシャワー水ガイド溝のうち、少なくともいずれかのシャワー水ガイド溝が、シャワー水の噴射角度を他のシャワー水ガイド溝と異なる角度にガイドする溝形状に形成されていることを特徴としている。
【００１２】
また、本発明に係るシャワーヘッドは、シャワー水通水路となる溝状凹部を有し、シャワー水ガイド溝に連通するシャワー水噴射孔形成用溝が前記溝状凹部の側壁面に穿設されたシャワーヘッド本体と、前記溝状凹部の開口部入り口に嵌まり込んで、溝状凹部の開口部を閉じるとともに、側壁面によってシャワー水噴射孔形成用溝の開口部を水密に塞ぐ蓋部材とを備えることを特徴としている。
【００１３】
なお、本発明に係るシャワーヘッドは、シャワー水噴射孔が環状あるいは略環状に並んでいて、一部の複数のシャワー水ガイド溝が、シャワー水噴射孔から噴射されたシャワー水を床面から所定高さの第１仮想集合点で衝突して集合するようにガイドする形状に形成され、残部のシャワー水ガイド溝のうちの少なくとも一部の複数のシャワー水ガイド溝がシャワー水噴射孔から噴射されたシャワー水を前記第１仮想集合点に対して高さ位置が異なる第２仮想集合点で衝突して集合するようにガイドする形状に形成されていてもよい。
【発明の効果】
【００１４】
本発明にかかるシャワーヘッドは、以上のように、曲線または直線上に並ぶ複数のシャワー水噴射孔を有し、これらのシャワー水噴射孔が、設定された軸に対して同じ交差角となるように形成されているとともに、各シャワー水噴射孔のシャワー水噴射方向には、シャワー水噴射孔から噴射されたシャワー水が入り込むシャワー水ガイド溝がそれぞれ形成されており、これらのシャワー水ガイド溝のうち、少なくともいずれかのシャワー水ガイド溝が、シャワー水の噴射角度を他のシャワー水ガイド溝と異なる角度にガイドする溝形状に形成されているので、シャワー水噴射孔の噴射角度は、基準軸に対して一定とすることができる。すなわち、孔を成形するための成形型のピンを、生産面でより有利な向きに設置することが出来る。そして、シャワー水ガイド溝部分のみ角度を変えるようにすればよい。したがって、成形金型の構造を簡素化することができるとともに、耐久性向上・及び成形性の向上が図れる。
【００１５】
また、本発明に係るシャワーヘッドのように、シャワー水通水路となる溝状凹部を有し、シャワー水ガイド溝に連通するシャワー水噴射孔形成用溝が前記溝状凹部の側壁面に穿設されたシャワーヘッド本体と、前記溝状凹部の開口部入り口に嵌まり込んで、溝状凹部の開口部を閉じるとともに、側壁面によってシャワー水噴射孔形成用溝の開口部を水密に塞ぐ蓋部材とを備える構成とすれば、蓋部材のシャワーヘッド本体との嵌合面を一定の角度とすることができるとともに、成形金型にシャワー水噴射孔形成用ピンが不要となり、成形金型構造がさらに簡素化できるとともに、嵌合面での止水性がよく組立性も向上する。
また、分解可能な構造とすることによりシャワー水噴射孔内面の清掃も可能となるとともに、小径かつ複数の散水角度をもつシャワーヘッドを簡単に得ることができる。
【００１６】
なお、本発明に係るシャワーヘッドは、シャワー水噴射孔が環状あるいは略環状に並んでいて、一部の複数のシャワー水ガイド溝が、シャワー水噴射孔から噴射されたシャワー水を床面から所定高さの第１仮想集合点で衝突して集合するようにガイドする形状に形成され、残部のシャワー水ガイド溝のうちの少なくとも一部の複数のシャワー水ガイド溝がシャワー水噴射孔から噴射されたシャワー水を前記第１仮想集合点に対して高さ位置が異なる第２仮想集合点で衝突して集合するようにガイドする形状に形成されている構成とすれば、第２の通水路から噴射された噴射シャワー水が少なくとも第１仮想集合点および第２仮想集合点の高さの異なる２箇所で集合し、太い流れになって落下する。したがって、シャワー装置本体部を上下させなくても、背丈の異なる使用者が快適に洗髪等を効率よく行えるようになる。
【発明を実施するための最良の形態】
【００１７】
以下に、本発明を、その実施の形態をあらわす図面を参照しつつ詳しく説明する。
図１〜図８は、本発明にかかるシャワーヘッドの１つの実施の形態をあらわしている。。
【００１８】
図１および図６〜図８に示すように、このシャワーヘッド１は、アクリロニトリルーブタジエンースチレン樹脂（ＡＢＳ）等の樹脂を射出成形することによって形成されたシャワーヘッド本体2と、蓋部材３とを備えている。
シャワーヘッド本体2は、図２〜図４および図６〜図８に示すように、ほぼ真円のリング状をしていて、一方の面に溝状凹部２１が設けられている。
【００１９】
溝状凹部２１は、溝状凹部２１の外側の第１側壁２２および内側の第２側壁２３より高さが低い仕切り壁２４によって内側溝状凹部２１ａと、外側溝状凹部２１ｂとに仕切られている。
仕切り壁２４は、リング状をしていて、所定ピッチ毎に後述する蓋部材３の固定ねじ４が螺合される円柱状をしたねじ受け部２４ａが設けられている。
【００２０】
第１側壁２２は、内壁面が、溝状凹部２１の中間部から底側が小径環状部２２ａ、開口端側が大径環状部２２ｃとなっていて、小径環状部２２ａと大径環状部２２ｃとの間に小径環状部２２ａ側から大径環状部２２ｃ側に向かって徐々に拡径する拡径環状部２２bが形成されているとともに、外壁面から後述するミストシャワーノズル支持部２５が延出するように設けられている。
また、第１側壁２２の内壁面のうち、ミストシャワーノズル支持部２５が設けられている部分を除く部分には、小径環状部２２ａの第１側壁２２の開口端側部分から拡径環状部２２bの大径環状部２２ｃ側の開口端側にかけてシャワー水噴射孔形成用溝２２ｄが、大径環状部２２ｃにシャワー水噴射孔形成用溝２２ｄに連通するシャワー水ガイド溝２２ｅがそれぞれ溝状凹部２１の周方向に等ピッチで穿設されている。
【００２１】
シャワー水噴射孔形成用溝２２ｄはその底面が小径環状部２２ａおよび拡径環状部２２bの壁面に平行かつ全長にわたって同じ深さに形成されていて、拡経環状部２２ｃに設けられた溝の底面が基準軸としてのシャワーヘッド本体2の中心軸Ｃに対して２５度の傾斜角度に形成されている。
シャワー水ガイド溝２２ｅは、その底面がすべてシャワーヘッド本体2の中心軸Ｃに対して平行かつ同じ深さに穿設されている。
【００２２】
第２側壁２３は、第１側壁２２より高さが低く、内壁面が、溝状凹部２１の中間部から底側が大径環状部２３ａ、開口端側が小径環状部２３cとなっているとともに、大径環状部２３ａと小径環状部２３cとの間に大径環状部２３ａ側から小径環状部２３c側に向かって徐々に縮径する縮径環状部２３bが形成されている。また、第２側壁２３の外壁面側には、シャワーヘッド本体2の固定用リブ５が環状に形成されている。
縮径環状部２３bは、上記拡径環状部２２bと対称に形成されている。
【００２３】
そして、第２側壁２３の内壁面には、大径環状部２３ａの第２側壁２３の開口端側部分から拡径環状部２２bの第２側壁２３の開口端側にかけてシャワー水噴射孔形成用溝２３ｄが、溝状凹部２１の周方向に等ピッチで穿設されている。シャワー水噴射孔形成用溝２３ｄはその底面が大径環状部２３ａおよび縮径環状部２３bの壁面に平行かつ全長にわたって同じ深さに形成されていて、縮径環状部２３bに設けられた溝の底面がシャワーヘッド本体2の中心軸Ｃに対して２５度の傾斜角度に形成されている。
また、小径環状部２３cには、シャワー水噴射孔形成用溝２３ｄに連通する第１シャワー水ガイド溝２３ｅ、第２シャワー水ガイド溝２３ｆ、第３シャワー水ガイド溝２３ｇが交互にそれぞれ溝状凹部２１の周方向に等ピッチで穿設されている。
【００２４】
第１シャワー水ガイド溝２３ｅは、図６に示すように、その底面がシャワー水噴射孔形成用溝２３ｄの縮径環状部２３b部分の底面と同じ傾斜角度でかつ面一になるように形成されている。
第２シャワー水ガイド溝２３ｆは、図７に示すように、その底面がシャワーヘッド本体2の中心軸Ｃに対して１７度の傾斜角度に形成されている。
【００２５】
第３シャワー水ガイド溝２３ｇは、図８に示すように、その底面がシャワーヘッド本体2の中心軸Ｃに対して９度の傾斜角度に形成されている。
また、図示していないが、内側溝状凹部２１と、外側溝状凹部２１とは、それぞれその壁面の一部にミストシャワーノズル支持部２５内に開口するシャワー水の供給口を備えている。
【００２６】
ミストシャワーノズル支持部２５は、内部にシャワーヘッド本体2へのシャワー水供給配管と、ミストシャワーノズル７０へのシャワー水供給配管が配管されるようになっている。
蓋部材３は、図５〜図８に示すように、溝状凹部２１の開口端部に嵌まり込む大きさのリング状をしていて、環状溝部３１側の面の中央部に仕切り壁２４の先端部が嵌まり込む嵌合溝部３２ａを備えた突条部３２が突設されている。
【００２７】
嵌合溝部３２ａは、ねじ受け部２４ａに対応する部分が略リング状になっていて、その中央にボス状に突部３２ｂが突設され、この突部３２ｂの中央に固定ねじ４の挿通孔３２ｃが穿設されている。
蓋部材３の外周面３３および内周面３４は、それぞれ対向する拡径環状部２２bあるいは縮径環状部２３bのテーパ角と同じテーパ角のテーパ面になっている。
【００２８】
蓋部材３のリングの外縁部および内縁部には、後述する止水材６ａ、６ｂの係止突起３５が突条部３２に平行に所定ピッチで形成されている。
蓋部材３の他方の面には、挿通孔３２ｃに対応する位置に、固定ねじ４の頭部を外部から隠す化粧キャップ15の嵌合凹部３６が形成されている。
【００２９】
止水材６ａ、６ｂは、たとえば、シリコーンゴム等の弾性材料で形成され、図６に示すように、それぞれ水平部６１と折曲部６２とを備えた断面略ヘ字形をしたリング状をしていて、水平部６１にそれぞれ係止突起３５と等ピッチに係止突起３５の嵌合孔６３が穿設されている。また、折曲部６２は、それぞれ蓋部材３の外周面３３および内周面３４の傾斜に沿うように水平部６１から折れ曲がって形成されている。
【００３０】
そして、このシャワーヘッド１は、つぎのようにして、シャワーヘッド本体2と蓋部材３とが組み立てられる。
まず、係止突起３５を止水材６ａ、６ｂの水平部６１に穿設された嵌合孔６３に嵌合させるとともに、折曲部６２を蓋部材３の外周面３３あるいは内周面３４の傾斜に沿わせた状態に、止水材６ａ、６ｂを蓋部材３にセットするとともに、突部３２ｂと同数のＯリング部８１が、図示していない連結部を介して突部３２ｂのピッチと同じピッチでリング状に連結されたシリコーンゴム等の弾性材料で形成された止水材８を、Ｏリング部８１が各突部３２ｂの周囲を囲むように嵌合溝部３２ａに嵌合させる。
【００３１】
つぎに、固定ねじ４を嵌合凹部３６側から挿通孔３２ｃに通し、ねじ頭部４１とねじ受け部２４ａとの間に突部３２ｂが挟まれた状態になるまで固定ねじ４をねじ受け部２４ａにインサート成形されたナット２９にねじ込む。
嵌合凹部３６に化粧キャップ15を嵌め込み、ねじ頭部４１を外部から隠蔽する。
【００３２】
すなわち、この組み立て状態で止水材８は、嵌合溝部３２ａの底面と、ねじ受け部２４ａとの間で挟着され、止水材６ａの折曲部６２が第１側壁２２の拡経環状部２２ｃと蓋部材３の外周面３３との間で挟着され、止水材６ａの折曲部６２が第２側壁２３の縮径環状部２３bと蓋部材３の内周面３４との間で挟着されて、シャワーヘッド本体2と、蓋部材３との間に、仕切り壁２４によって水密に仕切られたリング状をした第１通水路１１と、第２通水路１２が形成される。そして、第１通水路１１および第２通水路１２は、それぞれ止水材６ａ（６ｂ）を介して蓋部材の外周面３３あるいは内周面３４によってシャワー水噴射孔形成用溝２２ｄ（２３ｄ）の上部開口が閉じられて形成されたシャワー水噴射孔１３（１４）によってシャワー水供給口から供給されたシャワー水が噴射されるようになっている。
【００３３】
なお、図１および図６中、Ｌは、シャワーヘッドのリング中央にはめ込まれた状態で天井面９１に装着された照明器具である。
【００３４】
このシャワーヘッド１は、以上のようになっており、図１および図６に示すように、シャワーヘッド本体2の固定用リブ５越しにビス５１をねじ込むことによってシャワー室９の天井面９１に固定されるとともに、シャワータワー９２を介してシャワー水配管が第１通水路１１、第２通水路１２およびミストシャワーノズル７０に接続される
【００３５】
そして、第１通水路１１にシャワー水が通水されると、各シャワー水噴射孔１３からシャワー水が線状になって噴射される。シャワー水噴射孔１３から噴射された線状のシャワー水は、図６に鎖線で示すように、シャワー水ガイド溝２２ｅによってシャワーヘッド本体2の中心軸に平行な線状シャワー水Ｓ１になってほぼ垂直に流下する。したがって、図９に示すように、略Ｃ字形をしたシャワーカーテンＳが形成される。また、このとき、ミストシャワーノズル７０から温水ミストを噴射させるようにすれば、このシャワーカーテンＳ内に温水ミストが充満し、シャワーカーテン内に小さなミストサウナ室が形成されたようになり、シャワーカーテンＳ内に立つ使用者Ｍが効率よくミストサウナを楽しむことができる。
【００３６】
一方、第２通水路１２にシャワー水が通水されると、各シャワー水噴射孔１４からシャワー水が線状になって噴射される。シャワー水噴射孔１４から噴射された線状のシャワー水は、第１シャワー水ガイド溝２３ｅ、第２シャワー水ガイド溝２３ｆおよび第３シャワー水ガイド溝２３ｇによってそれぞれ所定の方向に向かってガイドされる。
すなわち、第１シャワー水ガイド溝２３ｅは、図６に示すように、その底面がシャワー水噴射孔形成用溝２３ｄの縮径環状部２３b部分の底面と同じ傾斜角度でかつ面一になるように形成されているので、第１シャワー水ガイド溝２３ｅによってガイドされた線状シャワー水Ｓ２はシャワーヘッド本体2の中心軸Ｃに向かって２５度の角度で噴射され、図１０に示すように、第１仮想集合点としての中心軸Ｃの浴室床面から１．８ｍ付近で他の第１シャワー水ガイド溝２３ｅによってガイドされた線状シャワー水Ｓ２と衝突し、絡み合いながら太い水流となって浴室床面に向かって略垂直に落下する。
【００３７】
また、第２シャワー水ガイド溝２３ｆは、図７に示すように、その底面がシャワーヘッド本体2の中心軸Ｃに対して１７度の傾斜角度に形成されているので、第２シャワー水ガイド溝２３ｆによってガイドされた線状シャワー水Ｓ３はシャワーヘッド本体2の中心軸Ｃに向かって１７度の角度で噴射され、第２仮想集合点としての中心軸Ｃの浴室床面から１．５ｍ付近で他の第２シャワー水ガイド溝２３ｆによってガイドされた線状シャワー水Ｓ３と衝突し、絡み合いながら太い水流となって浴室床面に向かって略垂直に落下する。
【００３８】
他方、第３シャワー水ガイド溝２３ｇは、図８に示すように、その底面がシャワーヘッド本体2の中心軸Ｃに対して９度の傾斜角度に形成されているので、第３シャワー水ガイド溝２３ｇによってガイドされた線状シャワー水Ｓ４はシャワーヘッド本体2の中心軸Ｃに向かって９度の角度で噴射され、第３仮想集合点としての中心軸Ｃの浴室床面から１．２ｍ付近で他の第３シャワー水ガイド溝２３ｇによってガイドされた線状シャワー水Ｓ４と衝突し、絡み合いながら太い水流となって浴室床面に向かって略垂直に落下する。
【００３９】
本発明にかかるシャワーヘッドは、上記の実施の形態に限定されない。たとえば、上記の実施の形態では、第２通水路に通水されたシャワー水が３つのガイド角度が異なるシャワー水ガイド溝によって３つの異なる噴射角度で噴射されるようになっているが、２つの異なる噴射角度、４つ以上の異なる噴射角度で噴射されるようにしても構わない。
また、上記の実施の形態では、ミストシャワーノズルが設けられていたが、ミストシャワーノズルは無くても構わない。
【００４０】
上記の実施の形態では、シャワー室の天井面に取り付けられていたが、浴室の洗い場天井面に取り付けるようにしても構わない。
上記の実施の形態では、シャワーヘッド本体がほぼ真円のリング状をしていたが、楕円形や、四角形、六角形等の多角形をしていても構わない。
【図面の簡単な説明】
【００４１】
【図１】本発明にかかるシャワーヘッドの１つの実施の形態であって、その使用状態の断面図である。
【図２】図１のシャワーヘッドのシャワーヘッド本体の斜視図である。
【図３】図２のシャワーヘッド本体の溝状凹部を拡大してあらわす斜視図である。
【図４】図２のシャワーヘッド本体の溝状凹部を図３と異なるアングルから見た状態を拡大してあらわす斜視図である。
【図５】図１のシャワーヘッドの蓋部材の斜視図である。
【図６】図１のシャワーヘッドを第１シャワー水ガイド溝部分で切断した拡大断面図である。
【図７】図１のシャワーヘッドを第２シャワー水ガイド溝部分で切断した拡大断面図である。
【図８】図１のシャワーヘッドを第３シャワー水ガイド溝部分で切断した拡大断面図である。
【図９】図１のシャワーヘッドの第１通水路にシャワー水を通水した場合のシャワー水の噴射状態を説明する模式図である。
【図１０】図１のシャワーヘッドの第２通水路にシャワー水を通水した場合のシャワー水の噴射状態を説明する模式図である。
【符号の説明】
【００４２】
１  シャワーヘッド
１１  第１通水路
１２  第２通水路
１３  シャワー水噴射孔
１４  シャワー水噴射孔
２  シャワーヘッド本体
２１  溝状凹部
２１ａ  内側溝状凹部
２１ｂ  外側溝状凹部
２２  第１側壁
２２ｄ  シャワー水噴射孔形成用溝
２２ｅ  シャワー水ガイド溝
２３  第２側壁
２３ｄ  シャワー水噴射孔形成用溝
２３ｅ  第１シャワー水ガイド溝
２３ｆ  第１シャワー水ガイド溝
２３ｇ  第１シャワー水ガイド溝
３  蓋部材
３３  外周面（蓋側壁面）
３４  内周面（蓋側壁面）
【図１】
0004657064.tif 000002
【図２】
0004657064.tif 000003
【図３】
0004657064.tif 000004
【図４】
0004657064.tif 000005
【図５】
0004657064.tif 000006
【図６】
0004657064.tif 000007
【図７】
0004657064.tif 000008
【図８】
0004657064.tif 000009
【図９】
0004657064.tif 000010
【図１０】
0004657064.tif 000011